(57)【要約】【課題】  同一の金融商品にかかる２以上のチャートを用いることによって、多様な観点から金融商品の売買に適したタイミングを分析することが可能な、チャート分析装置及びチャート分析方法を提供する。【解決手段】  複数のチャートを選択し、各々のチャートを構成する数値を度数分布などの所定のルールに基づいてスコアに置き換える。置き換えたスコアに、価格、出来高等について重視したい項目を加重値によって調整して、多様な要素を反映した総合スコアを算出する。算出された総合スコアの時系列的な変局を所定のロジックによって捉えるよう構成することによって、トレンド、出来高、信用取引の影響など、様々な要因を反映した総合的なセンチメントを数値化して分析し、売買のシグナルを発生させることを可能にしている。【選択図】        図５
2008129952.tif 000002
【特許請求の範囲】
【請求項１】
同一の金融商品にかかる２以上のチャートから前記金融商品の売買に適したタイミングを分析するためのチャート分析装置であって、
同一の金融商品にかかる２以上のチャートを構成する数値を時系列に従って記憶するチャート記憶手段と、
前記チャート記憶手段から、各々のチャートについて所定の対象期間中の数値を読み出して、各々の数値を所定のルールに基づくスコアに置き換えて記憶するスコア記憶手段と、
前記スコア記憶手段に記憶された各々のチャートについての全てのスコア値から、前記対象期間中の日毎に総合スコアを算出して記憶する総合スコア記憶手段と、
前記対象期間中の日毎に、前記総合スコア記憶手段に記憶された総合スコアの所定の期間の移動平均値を算出して時系列に従って記憶する移動平均値記憶手段と、
前記移動平均値記憶手段に記憶された移動平均値を前日の移動平均値と比較して、前日比に対する増減のいずれかの傾向を時系列に従って記憶する増減傾向記憶手段と、
前記増減傾向記憶手段に記憶された増減の傾向が、減少から増加に転じた日を買いシグナルの発生日として、増加から減少に転じた日を売りシグナルの発生日として特定するシグナル発生日特定手段と、
を備えることを特徴とするチャート分析装置。
【請求項２】
前記チャート記憶手段に構成する数値が記憶された各々のチャートについての加重値を記憶するチャート加重値記憶手段を備えていて、
前記総合スコア記憶手段は、各々のチャートのスコアに前記加重値記憶手段に記憶された加重値を反映した総合スコアを算出して記憶すること
を特徴とする請求項１記載のチャート分析装置。
【請求項３】
前記スコア記憶手段がスコアへの置き換えに用いた所定のルールを各々のチャート毎に記憶する置換ルール記憶手段と、
シグナルの判定対象となる対象日の各々のチャートを構成する数値を取得する数値取得手段と、
前記数値取得手段の取得した数値を、前記置換ルール記憶手段を参照してスコアに置き換えて記憶する第２のスコア記憶手段と、
前記第２のスコア記憶手段に記憶された各々のチャートについての全てのスコア値から、前記対象日の総合スコアを算出して記憶する第２の総合スコア記憶手段と、
前記第２のスコア記憶手段に記憶された対象日の総合スコア以前の所定の期間の移動平均値を前記総合スコア記憶手段に記憶された総合スコアを用いて算出し、前記移動平均値記憶手段に記憶された前記対象日の前日の移動平均値と比較して、減少から増加に転じた場合は買いシグナルを、増加から減少に転じた場合は売りシグナルを、チャート分析装置に接続されたディスプレイへのシグナル発生通知の表示、チャート分析装置に接続されたプリンタへのシグナル発生通知の出力、チャート分析装置に接続されたスピーカへのシグナル発生音の出力、又はネットワークで接続された端末装置へのシグナル発生通知の送信のいずれかの方法によって通知するシグナル通知手段と、
を備えることを特徴とする請求項１又は２記載のチャート分析装置。
【請求項４】
同一の金融商品にかかる２以上のチャートを構成する数値を時系列に従って記憶するチャート記憶部を備えるコンピュータによって、前記金融商品の売買に適したタイミングを分析するためのチャート分析方法であって、
前記コンピュータが、前記チャート記憶部から、各々のチャートについて所定の対象期間中の数値を読み出して、各々の数値を所定のルールに基づくスコアに置き換えて第１の記憶領域に記憶させるスコア記憶ステップと、
前記コンピュータが、前記スコア記憶ステップにおいて記憶された各々のチャートについての全てのスコア値から、前記対象期間中の日毎に総合スコアを算出して第２の記憶領域に記憶させる総合スコア記憶ステップと、
前記コンピュータが、前記対象期間中の日毎に、前記総合スコア記憶ステップにおいて記憶された総合スコアの所定の期間の移動平均値を算出して時系列に従って第３の記憶領域に記憶させる移動平均値記憶ステップと、
前記コンピュータが、前記移動平均値記憶ステップにおいて記憶された移動平均値を前日の移動平均値と比較して、前日比に対する増減のいずれかの傾向を時系列に従って第４の記憶領域に記憶させる増減傾向記憶ステップと、
前記コンピュータが、前記増減傾向記憶ステップで記憶された増減の傾向が、減少から増加に転じた日を買いシグナルの発生日として、増加から減少に転じた日を売りシグナルの発生日として特定するシグナル発生日特定ステップと、
を有することを特徴とするチャート分析方法。
【請求項５】
前記コンピュータには、前記チャート記憶部に構成する数値が記憶された各々のチャートについての加重値を記憶するチャート加重値記憶部が備えられていて、
前記総合スコア記憶ステップでは、各々のチャートのスコアに前記加重値記憶部に記憶された加重値を反映した総合スコアを算出して前記第２の記憶領域に記憶させること
を特徴とする請求項４記載のチャート分析方法。
【請求項６】
前記コンピュータには、前記スコア記憶ステップにおいてスコアへの置き換えに用いた所定のルールを各々のチャート毎に記憶する置換ルール記憶部が備えられていて、
前記コンピュータが、シグナルの判定対象となる対象日の各々のチャートを構成する数値を取得する数値取得ステップと、
前記コンピュータが、前記数値取得ステップにおいて取得した数値を、前記置換ルール記憶部を参照してスコアに置き換えて第５の記憶領域に記憶させる第２のスコア記憶ステップと、
前記コンピュータが、前記第２のスコア記憶ステップにおいて記憶された各々のチャートについての全てのスコア値から、前記対象日の総合スコアを算出して第６の記憶領域に記憶させる第２の総合スコア記憶ステップと、
前記コンピュータが、前記第２のスコア記憶ステップにおいて記憶された対象日の総合スコア以前の所定の期間の移動平均値を前記第２の記憶領域に記憶された総合スコアを用いて算出し、前記第３の記憶手段に記憶された前記対象日の前日の移動平均値と比較して、減少から増加に転じた場合は買いシグナルを、増加から減少に転じた場合は売りシグナルを、ディスプレイへのシグナル発生通知の表示、チャート分析装置に接続されたプリンタへのシグナル発生通知の出力、チャート分析装置に接続されたスピーカへのシグナル発生音の出力、又はネットワークで接続された端末装置へのシグナル発生通知の送信のいずれかの方法によって通知するシグナル通知ステップと、
を有することを特徴とする請求項４又は５記載のチャート分析方法。
【発明の詳細な説明】
【技術分野】
【０００１】
本発明は、同一の金融商品にかかる２以上のチャートを用いることによって、多様な観点から金融商品の売買に適したタイミングを分析するチャート分析装置及びチャート分析方法に関するものである。
【背景技術】
【０００２】
金融商品の一つである株式への投資を判断するための分析手法として、株式を発行する企業の収益力や資産状況などから投資対象を分析するファンダメンタルズ分析と、株価の時系列的な変局を捉えて投資のタイミングを分析するテクニカル分析の２つが、投資家の間で広く用いられている。このうち、特に後者のテクニカル分析については、コンピュータの進歩に伴って多様な分析がなされるようになっている（例えば、特許文献１参照。）。
【０００３】
テクニカル分析は時系列的な変局を捉えるものであるため、株価や売買高、その他の指数の時系列的な推移を示したチャートを描画することによって行われる。チャートの描き方にも様々な種類があり、移動平均線や一目均衡表を用いたトレンド分析、ＲＳＩやストキャティクスを用いたモメンタム分析、ローソク足を用いたフォーメーション分析など、多くの分析手法が提供されている（例えば、非特許文献１参照。）。
【０００４】
【特許文献１】特開２００５−１９６４９７号公報
【非特許文献１】日本テクニカルアナリスト協会・ホームページ、「テクニカル分析とは」、［平成１８年１１月１７日検索］、インターネット＜ＵＲＬ：ｈｔｔｐ：／／ｗｗｗ．ｎｔａａ．ｏｒ．ｊｐ／ｔｅｃｈｎｉｃａｌ／ｉｎｄｅｘ．ｈｔｍｌ＞
【発明の開示】
【発明が解決しようとする課題】
【０００５】
これらのチャートは、それぞれが上昇局面への変化を捉えやすい、天井を捉えやすいなどの特徴を有しており、テクニカル分析を用いる投資家は、複数のチャートの動きを考慮しながら売買のタイミングを計ることが一般的である。ところが、各々のチャートは別々に描画されるものであるため、投資家は必要なチャートをそれぞれ参照しながら、自らの判断でそこから何らかの傾向を読み取らなければならない。コンピュータを用いたチャートを描画するツールとして、複数のチャートを重ねて描画できるものも提供されているが、描画された複数のチャートをどのように読み取るかは投資家の判断に委ねられることになってしまう。
【０００６】
本発明は、このような課題に対応するためになされたものであり、同一の金融商品にかかる２以上のチャートを用いることによって、多様な観点から金融商品の売買に適したタイミングを分析することが可能な、チャート分析装置及びチャート分析方法を提供することを目的とするものである。
【課題を解決するための手段】
【０００７】
このような課題を解決するために、本発明は、同一の金融商品にかかる２以上のチャートから前記金融商品の売買に適したタイミングを分析するためのチャート分析装置であって、同一の金融商品にかかる２以上のチャートを構成する数値を時系列に従って記憶するチャート記憶手段と、前記チャート記憶手段から、各々のチャートについて所定の対象期間中の数値を読み出して、各々の数値を所定のルールに基づくスコアに置き換えて記憶するスコア記憶手段と、前記スコア記憶手段に記憶された各々のチャートについての全てのスコア値から、前記対象期間中の日毎に総合スコアを算出して記憶する総合スコア記憶手段と、前記対象期間中の日毎に、前記総合スコア記憶手段に記憶された総合スコアの所定の期間の移動平均値を算出して時系列に従って記憶する移動平均値記憶手段と、前記移動平均値記憶手段に記憶された移動平均値を前日の移動平均値と比較して、前日比に対する増減のいずれかの傾向を時系列に従って記憶する増減傾向記憶手段と、前記増減傾向記憶手段に記憶された増減の傾向が、減少から増加に転じた日を買いシグナルの発生日として、増加から減少に転じた日を売りシグナルの発生日として特定するシグナル発生日特定手段と、を備えることを特徴とする。
【０００８】
本発明においては、チャートを構成する数値をスコアに置き換えて、複数のチャートのスコアを反映した総合スコアの変化から時系列的な変局を捉えるよう構成することによって、トレンド、出来高、信用取引の影響など、多様な要素を反映した総合的なセンチメントを数値化して分析し、売買のシグナルを発生させることを可能にしている。
【０００９】
また、本発明は、前記チャート記憶手段に構成する数値が記憶された各々のチャートについての加重値を記憶するチャート加重値記憶手段を備えていて、前記総合スコア記憶手段は、各々のチャートのスコアに前記加重値記憶手段に記憶された加重値を反映した総合スコアを算出して記憶することを特徴とすることもできる。
【００１０】
このように構成すると、チャートの種類によって加重値を調整することによって、バランス型、価格重視型、出来高重視型など、重視するポイントを変化させた多様なセンチメントの分析が可能になる。
【００１１】
さらに、本発明は、前記スコア記憶手段がスコアへの置き換えに用いた所定のルールを各々のチャート毎に記憶する置換ルール記憶手段と、シグナルの判定対象となる対象日の各々のチャートを構成する数値を取得する数値取得手段と、前記数値取得手段の取得した数値を、前記置換ルール記憶手段を参照してスコアに置き換えて記憶する第２のスコア記憶手段と、前記第２のスコア記憶手段に記憶された各々のチャートについての全てのスコア値から、前記対象日の総合スコアを算出して記憶する第２の総合スコア記憶手段と、前記第２のスコア記憶手段に記憶された対象日の総合スコア以前の所定の期間の移動平均値を前記総合スコア記憶手段に記憶された総合スコアを用いて算出し、前記移動平均値記憶手段に記憶された前記対象日の前日の移動平均値と比較して、減少から増加に転じた場合は買いシグナルを、増加から減少に転じた場合は売りシグナルを、ディスプレイへのシグナル発生通知の表示、チャート分析装置に接続されたプリンタへのシグナル発生通知の出力、チャート分析装置に接続されたスピーカへのシグナル発生音の出力、又はネットワークで接続された端末装置へのシグナル発生通知の送信のいずれかの方法によって通知するシグナル通知手段と、を備えることを特徴としてもよい。
【００１２】
このように構成すると、日々の最新のデータを分析して、センチメントが売り又は買いに転換した際には、速やかに投資家にシグナルを通知することが可能になる。
【００１３】
さらに、本発明は、本発明にかかるチャート分析装置のそれぞれの構成によって実行されるチャート分析方法として特定することもできる。
【００１４】
つまり、本発明のチャート分析方法は、同一の金融商品にかかる２以上のチャートを構成する数値を時系列に従って記憶するチャート記憶部を備えるコンピュータによって、前記金融商品の売買に適したタイミングを分析するためのチャート分析方法であって、前記コンピュータが、前記チャート記憶部から、各々のチャートについて所定の対象期間中の数値を読み出して、各々の数値を所定のルールに基づくスコアに置き換えて第１の記憶領域に記憶させるスコア記憶ステップと、前記コンピュータが、前記スコア記憶ステップにおいて記憶された各々のチャートについての全てのスコア値から、前記対象期間中の日毎に総合スコアを算出して第２の記憶領域に記憶させる総合スコア記憶ステップと、前記コンピュータが、前記対象期間中の日毎に、前記総合スコア記憶ステップにおいて記憶された総合スコアの所定の期間の移動平均値を算出して時系列に従って第３の記憶領域に記憶させる移動平均値記憶ステップと、前記コンピュータが、前記移動平均値記憶ステップにおいて記憶された移動平均値を前日の移動平均値と比較して、前日比に対する増減のいずれかの傾向を時系列に従って第４の記憶領域に記憶させる増減傾向記憶ステップと、前記コンピュータが、前記増減傾向記憶ステップで記憶された増減の傾向が、減少から増加に転じた日を買いシグナルの発生日として、増加から減少に転じた日を売りシグナルの発生日として特定するシグナル発生日特定ステップと、を有することを特徴とするチャート分析方法である。
【００１５】
また、前記コンピュータには、前記チャート記憶部に構成する数値が記憶された各々のチャートについての加重値を記憶するチャート加重値記憶部が備えられていて、前記総合スコア記憶ステップでは、各々のチャートのスコアに前記加重値記憶部に記憶された加重値を反映した総合スコアを算出して前記第２の記憶領域に記憶させることを特徴とすることもできる。
【００１６】
さらに、前記コンピュータには、前記スコア記憶ステップにおいてスコアへの置き換えに用いた所定のルールを各々のチャート毎に記憶する置換ルール記憶部が備えられていて、前記コンピュータが、シグナルの判定対象となる対象日の各々のチャートを構成する数値を取得する数値取得ステップと、前記コンピュータが、前記数値取得ステップにおいて取得した数値を、前記置換ルール記憶部を参照してスコアに置き換えて第５の記憶領域に記憶させる第２のスコア記憶ステップと、前記コンピュータが、前記第２のスコア記憶ステップにおいて記憶された各々のチャートについての全てのスコア値から、前記対象日の総合スコアを算出して第６の記憶領域に記憶させる第２の総合スコア記憶ステップと、前記コンピュータが、前記第２のスコア記憶ステップにおいて記憶された対象日の総合スコア以前の所定の期間の移動平均値を前記第２の記憶領域に記憶された総合スコアを用いて算出し、前記第３の記憶手段に記憶された前記対象日の前日の移動平均値と比較して、減少から増加に転じた場合は買いシグナルを、増加から減少に転じた場合は売りシグナルを、ディスプレイへのシグナル発生通知の表示、チャート分析装置に接続されたプリンタへのシグナル発生通知の出力、チャート分析装置に接続されたスピーカへのシグナル発生音の出力、又はネットワークで接続された端末装置へのシグナル発生通知の送信のいずれかの方法によって通知するシグナル通知ステップと、を有することを特徴としてもよい。
【発明の効果】
【００１７】
本発明によって、株式等の金融商品に投資する投資家は、複数のチャートを描画して自ら分析することを行わなくても、複数のチャートが反映された総合的なセンチメントによって分析された売買シグナルを受け取ることによって、高度なテクニカル分析結果を利用しながら売買のタイミングを計ることが可能になる。
【発明を実施するための最良の形態】
【００１８】
本発明を実施するための最良の形態について、図面を用いて以下に詳細に説明する。尚、以下には、本発明にかかるチャート分析装置によって株価チャートを分析する例について説明するが、この説明は本発明の実施形態の一例であって、本発明は他の金融商品のチャート分析に用いることとしてもよい。
【００１９】
図１は、本発明にかかるチャート分析装置の第１の実施形態における構成を示すブロック図である。図２は、本発明にかかるチャート分析装置の第２の実施形態における構成を示すブロック図である。図３は、本発明にかかるチャート分析装置において分析に用い得るチャートの例を示す図である。図４は、本発明にかかるチャート分析装置において分析に用いるチャートの設定値の一例を示す図である。図５は、本発明にかかるチャート分析装置による売買タイミングの分析の一例を示す図である。図６は、本発明にかかるチャート分析装置による売買シグナルを発生させるロジックの一例を示す図である。図７は、本発明にかかるチャート分析装置によるセンチメントの時系列分析のフローを示すフローチャートである。図８は、本発明にかかるチャート分析装置により分析対象日の売買シグナル発生の要否を判断するフローを示すフローチャートである。図９は、本発明にかかるチャート分析装置の実施例における検証方式別の設定条件を示す図である。図１０〜図１５は、本発明にかかるチャート分析装置の実施例により作成された第１のチャート（バランス型・１９９６〜２０００年）、第２のチャート（バランス型・２００１〜２００６年７月）、第３のチャート（価格重視型・１９９６〜２０００年）、第４のチャート（価格重視型・２００１〜２００６年７月）、第５のチャート（出来高重視型・１９９６〜２０００年）、第６のチャート（出来高重視型・２００１〜２００６年７月）である。図１６は、本発明にかかるチャート分析装置の実施例におけるドテン方式による売買シミュレーション結果を示す図である。
【００２０】
図１は、本発明にかかるチャート分析装置の第１の実施形態で、本発明にかかるチャート分析装置はユーザの使用するコンピュータ１０の一部の機能として構成されている。コンピュータ１０には、アプリケーションプログラムの演算処理や通信機能を備えた一般的なパーソナルコンピュータを用いることとすればよい。売買シグナル判定部１１は機能的に特定されるものであって、コンピュータ１０のメインメモリに売買シグナルを判定する機能を実行するためのアプリケーションプログラムが読み出され、ＣＰＵにおいて演算処理が行なわれることによって、該機能が実行される。
【００２１】
加重条件記憶部１２、株価情報記憶部１３、チャート情報記憶部１４、演算値記憶部１５は、いずれもコンピュータ１０のＨＤＤの所定の記憶領域に設けられるものであるが、演算処理のために一時的に記憶されるものについては、コンピュータ１０のメインメモリに一時記憶されるものであってもよい。
【００２２】
コンピュータ１０とマーケット情報提供サーバ２０とは、インターネットを通じて接続されていて、チャートの描画に必要な株価や出来高などの数値データをマーケット情報提供サーバ２０から受信するように構成されている。これらの数値データについては、随時マーケット情報提供サーバ２０から送信された数値データが株価情報記憶部１３とチャート情報記憶部１４に記憶され、コンピュータ１０においてチャートを描画する際には株価情報記憶部１３とチャート情報記憶部１４から必要な数値データを読み出すこととしてもよいし、コンピュータ１０においてチャートを描画する際にマーケット情報提供サーバ２０から必要な数値データを受信して、株価情報記憶部１３とチャート情報記憶部１４に一時記憶させた数値データを用いてチャートを描画することとしてもよい。
【００２３】
尚、株価情報記憶部１３とチャート情報記憶部１４には、株価の分析に必要なチャートを描画するために必要な数値データが記憶されているが、株価情報記憶部１３とチャート情報記憶部１４に記憶される情報は特に限定されるものではない。ここでは移動平均線、新値足などに用いる株価情報を株価情報記憶部１３に、出来高回転率、貸借倍率などに用いられる株価以外の情報をチャート情報記憶部１４に記憶させることとした。コンピュータ１０では、株価情報記憶部１３とチャート情報記憶部１４に記憶された数値データを用いて、様々なチャートを描画することが可能となっている。
【００２４】
ここで、本発明では、売買シグナル判定部１１において固有のチャート分析を行うことができるよう構成されている。図３に例示したように、株価を分析するためのチャートには、エンベロープ、ＲＳＩ、新値足など様々な種類が存在しており、それぞれのチャートは異なる特性を有するものとなっている。例えば、エンベロープ、新値足は上昇・下降トレンドに効力を発揮する、ＲＳＩやボリュームレシオは（もみ合い）局面に強い、といった傾向が検証されている。このように、どのチャートも一つをもって十分な分析ができるものではないため、投資家は複数のチャートを用いながら売買のタイミングを計ることが少なくないが、本発明では複数のチャートを採用して加重したスコアを算出し、そのスコアの変動から多様な要因を織り込んだ分析を、一のチャート分析によって行おうとするものである。
【００２５】
図４は、かかる着想のもと、分析の対象として８種類のチャートを選んで条件設定を行ったものである。本発明においては、これらの８種類のチャートを描画することが可能な数値データが株価情報記憶部１３とチャート情報記憶部１４に記憶されており、ここに記憶された数値データを用いて８種類のチャートを加重したスコアを算出する。以降、本発明において演算される該スコアを、「ＧＯセンチメント」（「ＧＯ」は、発明者のうち２名のイニシャルをとったものである。）として説明する。
【００２６】
ＧＯセンチメントの演算処理は、図７及び図８のフローチャートに示したフローによって行われる。図７は、ある期間中のＧＯセンチメントの時系列での推移を分析することによって、数値データと度数分布処理の対応関係などのパラメータ設定を含む、ＧＯセンチメントの過日分の演算処理フローを示しており、図８は、図７によってＧＯセンチメントの時系列での推移が記録されていることを前提に、分析対象日となる当日の売買シグナル発生の要否を判断するフローを示したものとなっている。
【００２７】
まず、ＧＯセンチメントの算出対象となる２以上のチャート種類を選択する（Ｓ０１）。ここで選択するチャートについては、例えば、図５のように対象とすることが可能なチャートについて、算出対象とするか否かを示すフラグをたてることによって（図５の例では「Ｙ」が算出対象であることを示すフラグとなっている。）、ユーザが予め選択しておくことができるよう構成すればよい。この算出対象とするか否かを示すフラグは、ユーザが入力装置１６を操作して設定し、後に説明する各々のチャートの加重値とともに加重条件記憶部１２に記憶される。
【００２８】
次に、算出対象となっているチャートについて、分析対象となる期間中のチャートの基礎となる数値データを株価情報記憶部１３又はチャート情報記憶部１４から読み出して取得する（Ｓ０２）。取得した数値データは、対象期間の最大値と最小値を求めて度数分布処理を行い（Ｓ０３）、対象期間中の各日の数値データをスコアに置換する（Ｓ０４）。図５の例では、対象期間の最大値から最小値までを２１等分した後に、各日の数値データを上位から順に＋１０から−１０までの２１段階のスコアに置き換えている。尚、新値足については、陽線１０本以上は＋１０、陰線１０本以上を−１０として、陽線又は陰線の本数からスコアを付与している。このように、ここで置き換えられるスコアは、数値データの大小関係を何らかのルールに基づいて後の総合スコアの演算を行いやすい数値に置換するものであればよく、置換のためのルールの内容は特に限定されるものではない。
【００２９】
対象期間中の各日についてスコアへの置き換えが行われると、選択されている次のチャートがあるかを確認して（Ｓ０５）、ＧＯセンチメントの算出対象となる全てのチャートについて同様の処理を繰り返し、チャートを構成する数値データをスコアに置換していく。図５の例では、対象となる８種類の全てのチャートについて、＋１０から−１０までの２１段階のスコアへの置き換えが行われている。
【００３０】
続いて、対象期間中の各日のスコアについて、加重値を反映した総合スコアを算出する（Ｓ０６）。ここで算出される総合スコアが、複数のチャートが反映されたＧＯセンチメントである。対象となる各々のチャートには、図５の例ではそれぞれ０〜２の加重値が予め設定されている（加重値＝０のチャートは、結果的に算出対象から除外されることになる。）。この加重値は、ユーザが入力装置１６を操作して設定して加重条件記憶部１２に記憶されるが、ユーザが各々のチャートに加重値を設定することとしてもよいし、例えばユーザが「バランス型」「価格重視型」などの項目を選択すると、予め指定された加重値の組み合わせが自動的に登録されるよう構成することとしてもよい。
【００３１】
このようにして対象期間中の各日のＧＯセンチメント（総合スコア）が算出されると、算出されたＧＯセンチメントは演算値記憶部１５に一時記憶され、対象期間中の各日についての移動平均値（例えば、対象日以前の２５日間のＧＯセンチメントを平均した２５日移動平均値）を算出する（Ｓ０７）。
【００３２】
算出した移動平均値は前日の移動平均値と比較して、図５の「前日比」の欄のように前日からの増減関係を順に記録していく。この増減関係が転換した点を確認し（Ｓ０８）、転換点となった部分に売買シグナルを記録する（Ｓ０９）。売買シグナルを発生させるロジックについては、図６の例に示したように、前日まで減少傾向が続いていたのが当日には増加傾向に転じた日を買いシグナルの発生日に、前日まで増加傾向が続いていたのが当日には減少傾向に転じたことを売りシグナルとして設定すればよい。
【００３３】
図５の例では、減少から増加に転じた２００６年１月３０日と２月３日に買いシグナルが、増加から減少に転じた２００６年２月１日に売りシグナルが発生している。このように、過去のある期間のＧＯセンチメントを算出してシグナルの発生時を特定し、これを期間中の株価推移と対照させると、ＧＯセンチメントの有効性を検証することができる。また、後の実施例に示すように、このシグナル発生時に売買を行ったと仮定したシミュレーションのよって、ＧＯセンチメントの有効性を検証することも可能である。
【００３４】
一方、図８のフローチャートは、日々ＧＯセンチメントの推移をチェックして、売買シグナルをタイムリーに発生するための処理フローを示したものである。この処理を行うためには、各日毎にスコアの度数分布処理を行うと、過去のＧＯセンチメントの数値が日々変化することとなってしまうため、例えば図７のＳ０３で行った度数分布処理により求められた各々のチャートを構成する数値データとスコアの対応関係を演算値記憶部１５に記憶させておき、スコアへの置き換えはこの対応関係を参照することによって行うこととすればよい。また、図７のフローによって算出された各日のＧＯセンチメントの値や移動平均値についても、演算値記憶部１５に記憶させておく。
【００３５】
まず、シグナルの判定対象となる日のチャートの基礎となる数値データを、株価情報記憶部１３又はチャート情報記憶部１４から読み出して取得する（Ｓ１１）。取得した数値データについて、演算値記憶部１５に記憶されたチャート上の数値データと置換するスコアの対応関係を参照して（Ｓ１２）、対象日の数値データをスコアに置換する（Ｓ１３）。スコアへの置き換えが行われると、選択されている次のチャートがあるかを確認して（Ｓ１４）、ＧＯセンチメントの算出対象となる全てのチャートについて同様の処理を繰り返し、チャートを構成する数値データをスコアに置換していく。
【００３６】
全てのチャートについてスコアへの置き換えが行われると、加重値を反映した総合スコアである対象日のＧＯセンンチメントを算出する（Ｓ１５）。算出されたＧＯセンチメントについて、演算値記憶部１５から移動平均値を算出するための対象日数分（例えば、２５日移動平均値を求めるのであれば対象日前日から過去２４日間のＧＯセンチメント）のＧＯセンチメントを読み出して、移動平均値を算出する（Ｓ１６）。
【００３７】
算出したＧＯセンチメントは、前日のＧＯセンチメントとの増減関係を確認し、前日までの増減傾向から転換しているかを確認する（Ｓ１７）。前日から転換している場合には売買シグナルを発生させ（Ｓ１８）、転換していない場合はそのまま処理を終了する。例えば、図５の例において、２００６年１月３１日までの数値データを演算して演算値記憶部１５に度数分布処理の対応関係等を記憶させていた場合には、２００６年２月１日には売りシグナルが発生し、２００６年２月３日には買いシグナルが発生することとなる。
【００３８】
売買シグナルが発生した場合の通知方法は特に限定されるものではないが、出力装置１７がディスプレイである場合にはポップアップ表示させる、出力装置１７がプリンタである場合には通知をプリントアウトさせる、出力装置１７がスピーカである場合には音声を発生させる、などの方法が考えられる。
【００３９】
尚、これまでの図７及び図８のフローチャートを用いた説明では、図７においてチャートの時系列分析を行った際に算出された度数分布処理の対応関係や総合スコアと移動平均値を利用して、図８により売買シグナルを発生させる前提として説明したが、図７の時系列分析を経ることなく、売買シグナルの判定を行うことも可能である。
【００４０】
この場合、準備段階として、度数分布処理の対応関係を設定することが必要になる。この設定は、ある一定期間、例えば過去１０年間の数値データの分布からスコアとの対応関係を設定して、演算値記憶部１５に記憶させておくこととすればよい。
【００４１】
また、設定した度数分布処理の対応関係を用いて、移動平均値の算出に必要な日数分の数値データについてのスコアの置換を行い、演算値記憶部１５に記憶させておく。この処理は、図７でいえば、Ｓ０１、Ｓ０２、Ｓ０４、Ｓ０５に対応する処理を繰り返し、置換したスコアを演算値記憶部１５に記憶させておけばよく、この段階での度数分布処理（Ｓ０３）や、移動平均値の算出（Ｓ０７）、シグナルの判定と記録（Ｓ０８〜Ｓ０９）などの処理は不要となる。総合スコアの算出（Ｓ０６）は、この段階で行っておいてもよいし、図８のシグナル判定時に行うこととしてもよい。
【００４２】
上記のような設定を行えば、図８の処理を行う際には、Ｓ１６の移動平均値の算出において、必要な日数分のスコア（又は総合スコア）を演算値記憶部１５から読み出して、移動平均値算出のための演算処理を行うことができる。
【００４３】
図２は、本発明にかかるチャート分析装置の第２の実施形態で、本発明にかかるチャート分析装置はユーザの使用する端末装置５０〜５２からインターネットを通じてアクセス可能な売買シグナル通知サーバ３０の一部の機能として構成されている。
【００４４】
この場合も、売買シグナル通知サーバ３０を構成する各部の動作は、第１の実施形態と基本的には同じであるが、チャートの選択や加重値の設定などは端末装置５０〜５２において操作が行われ、インターネットを介して売買シグナル通知サーバ３０の加重条件記憶部３２に登録されることになる。また、売買シグナルが発生した場合には、売買シグナル判定部３１から端末装置５０〜５２へ、メール送信などによって売買シグナルが通知される。
【実施例】
【００４５】
本発明にかかるチャート分析装置によって算出されるＧＯセンチメントの有用性について、１９９６年１月から２００６年7月の間の日経２２５平均株価により検証を行った。検証は、バランス型、価格重視型、出来高重視型の３つの方式について行ったが、検証方式別に選択したチャート種類と加重値の設定条件は、図９に示したとおりである。図９に示した設定値は、これまでの検証結果では、各々の方式において最適のパターンと考えられるものである。
【００４６】
図１０〜図１５は、それぞれバランス型の１９９６〜２０００年、バランス型の２００１〜２００６年７月、価格重視型の１９９６〜２０００年、価格重視型の２００１〜２００６年７月、出来高重視型の１９９６〜２０００年、出来高重視型の２００１〜２００６年７月について、日経２２５平均株価とＧＯセンチメントの２５日移動平均の値の推移を示したものである。
【００４７】
これらのグラフ上に示した、上向きの矢印は買いシグナルが発生した点を、下向きの矢印は売りシグナルが発生した点を示している。シグナルが発生した点では、日経２２５平均株価がシグナルの発生後にシグナルに示された方向性（買いシグナルであれば上昇、売りシグナルであれば下落）に向かって動いていることが多いことが検証され、ＧＯセンチメントが株価の変局に有効であることが確認された。
【００４８】
また、これらの売買シグナルの発生時点において売り又は買いを繰返す、いわゆる「ドテン方式」（例えば、最初に買いシグナルが出た時点で１単位を買い、次の売りシグナルで２単位を売り、次の買いシグナルで２単位を買い、・・・と繰り返す方式）によって売買シミュレーションを行った。その結果は、図１６に示したとおりである。
【００４９】
このシミュレーション結果によると、バランス型の場合は、期間中に２０２回の売買が発生し、利益が８５回に対して損失は１１７回、累計損益は＋１５，１００円となった。直近６年間では、１２０回の売買が発生し、利益が４８回に対して損失は７２回、累計損益は＋５，３００円となっている。
【００５０】
価格重視型の場合は、期間中に１９０回の売買が発生し、利益が７９回に対して損失は１１１回、累計損益は＋１２，１００円となった。直近６年間では、１１４回の売買が発生し、利益が４５回に対して損失は６９回、累計損益は＋３，０００円となっている。
【００５１】
出来高重視型の場合は、期間中に１６８回の売買が発生し、利益が４４回に対して損失は４６回、累計損益は＋２６，２００円となった。直近６年間では、９０回の売買が発生し、利益が４４回に対して損失は４６回、累計損益は＋１３，３００円となっている。
【００５２】
以上のドテン方式による売買シミュレーションの結果によると、利益と損失の回数ではいずれも損失の数が多くなっているにもかかわらず、トータルで生じた損益はプラスの結果となっている。この結果は、損失の幅が抑制される一方で、大きな利益を得たことが多かったことを示しており、ＧＯセンチメントが損切りや利食いに有効であることが検証されたものと考えられる。
【図面の簡単な説明】
【００５３】
【図１】本発明にかかるチャート分析装置の第１の実施形態における構成を示すブロック図である。
【図２】本発明にかかるチャート分析装置の第２の実施形態における構成を示すブロック図である。
【図３】本発明にかかるチャート分析装置において分析に用い得るチャートの例を示す図である。
【図４】本発明にかかるチャート分析装置において分析に用いるチャートの設定値の一例を示す図である。
【図５】本発明にかかるチャート分析装置による売買タイミングの分析の一例を示す図である。
【図６】本発明にかかるチャート分析装置による売買シグナルを発生させるロジックの一例を示す図である。
【図７】本発明にかかるチャート分析装置によるセンチメントの時系列分析のフローを示すフローチャートである。
【図８】本発明にかかるチャート分析装置により分析対象日の売買シグナル発生の要否を判断するフローを示すフローチャートである。
【図９】本発明にかかるチャート分析装置の実施例における検証方式別の設定条件を示す図である。
【図１０】本発明にかかるチャート分析装置の実施例により作成された第１のチャート（バランス型・１９９６〜２０００年）である。
【図１１】本発明にかかるチャート分析装置の実施例により作成された第２のチャート（バランス型・２００１〜２００６年７月）である。
【図１２】本発明にかかるチャート分析装置の実施例により作成された第３のチャート（価格重視型・１９９６〜２０００年）である。
【図１３】本発明にかかるチャート分析装置の実施例により作成された第４のチャート（価格重視型・２００１〜２００６年７月）である。
【図１４】本発明にかかるチャート分析装置の実施例により作成された第５のチャート（出来高重視型・１９９６〜２０００年）である。
【図１５】本発明にかかるチャート分析装置の実施例により作成された第６のチャート（出来高重視型・２００１〜２００６年７月）である。
【図１６】本発明にかかるチャート分析装置の実施例におけるドテン方式による売買シミュレーション結果を示す図である。
【符号の説明】
【００５４】
１０  コンピュータ
１１  売買シグナル判定部
１２  加重条件記憶部
１３  株価情報記憶部
１４  チャート情報記憶部
１５  演算値記憶部
１６  入力装置
１７  出力装置
２０  マーケット情報提供サーバ
３０  チャート分析サーバ
３１  売買シグナル判定部
３２  加重条件記憶部
３３  株価情報記憶部
３４  チャート情報記憶部
３５  演算値記憶部
４０  マーケット情報提供サーバ
５０  端末装置
５１  端末装置
５２  端末装置
【図１】
2008129952.tif 000003
【図２】
2008129952.tif 000004
【図３】
2008129952.tif 000005
【図４】
2008129952.tif 000006
【図５】
2008129952.tif 000007
【図６】
2008129952.tif 000008
【図７】
2008129952.tif 000009
【図８】
2008129952.tif 000010
【図９】
2008129952.tif 000011
【図１０】
2008129952.tif 000012
【図１１】
2008129952.tif 000013
【図１２】
2008129952.tif 000014
【図１３】
2008129952.tif 000015
【図１４】
2008129952.tif 000016
【図１５】
2008129952.tif 000017
【図１６】
2008129952.tif 000018